(57)【要約】【課題】身長レベルを容易に把握することができるとともに、それを記憶に留めやすい身長レベル判定用メジャーを提供すること。【解決手段】本発明の身長レベル判定用メジャーは、テープ状の基体１の表面を、長手方向に沿って所定長さを有する複数の領域１ａ〜１ｆに分けるとともに各領域をそれぞれ異なる色に着色したことを特徴とするものである。このような構成とすることで、表面側の各領域１ａ〜１ｆの色別により犯人の身長レベルを容易に判定することができる。しかも、犯人の身長レベルが該当する領域の色だけを記憶しておけば、後になっても犯人の身長レベルを容易に特定することができる。【選択図】　　図３
2004121641.tif 000002
【特許請求の範囲】
【請求項１】
テープ状の基体の表面を、長手方向に沿って所定長さを有する複数の領域に分けるとともに各領域をそれぞれ異なる色に着色し、テープ状の基体の裏面側に粘着層を介して離型紙を設けている身長レベル判定用メジャー。
【発明の詳細な説明】
【０００１】
【発明の属する技術分野】
本発明は、金融機関、郵便局、コンビニエンスストアー等の現金を取り扱う場所や、駅、ビル等の公益又は私益に供する施設において、強盗犯や窃盗犯が侵入したときに、その犯人の身長レベルを判定するためのメジャーに関するものである。
【０００２】
【従来の技術】
近年、強盗、窃盗事件が多発するなか、その犯人の検挙率の向上は、犯罪抑止の点からも極めて重要である。犯人検挙のためには、犯人の特徴を把握することが重要であるが、強盗犯の場合、犯人が覆面等をしていると中々特徴がつかめない。ただし、覆面等をしている場合であっても犯人の身長は比較的把握しやすく、その身長レベルの情報は、犯人の特定するための手がかりの一つとなる。
【０００３】
犯人の身長を測定するために、テープ状の基体の表面側に身長を読み取るための目盛りを設け、裏面側に粘着層を介して離型紙を設けているメジャーを出入り口や要所となる壁に貼り付けて使用することが、特許文献１に開示されている。また、この特許文献１には、身長を測定し得る目盛りのうち、１５０ｃｍ以上２００ｃｍ以内で要部を構成するラインを、他の目盛りとは識別し易い着色もしくは蛍光性インクで表示することも開示されている。
【０００４】
【特許文献１】
登録実用新案第３０３２７９０号公報
【０００５】
【発明が解決しようとする課題】
特許文献１に開示されているメジャーでは、目盛り（数字）を読み取ることによって犯人の身長を特定するものであるが、現実に強盗事件が発生した場合、誰もが慌て気が動転するため目盛り（数字）或いは着色した目盛り（数字）を容易に読み取ることはできない。
【０００６】
そこで、本発明が解決しようとする課題は、身長レベルを容易に把握することができるとともに、それを記憶に留めやすい身長レベル判定用メジャーを提供することにある。
【０００７】
【課題を解決するための手段】
上記課題を解決するために、本発明の身長レベル判定用メジャーは、テープ状の基体の表面を、長手方向に沿って所定長さを有する複数の領域に分けるとともに各領域をそれぞれ異なる色に着色したことを特徴とするものである。このような構成とすることで、本発明の身長レベル判定用メジャーでは、表面側の各領域の色別により犯人の身長レベルを容易に判定することができる。しかも、犯人の身長レベルが該当する領域の色だけを記憶しておけば、後になっても犯人の身長レベルを容易に特定することができる。
【０００８】
また、本発明の身長レベル判定用メジャーには、テープ状の基体の裏面側に粘着層を介して離型紙を設けているので、離型紙を剥がすことにより出入口や要所となる壁に貼り付けて使用することができる。
【０００９】
【発明の実施の形態】
以下、本発明の実施の形態を図面に示す実施例に基づき説明する。
【００１０】
図１は、本発明の身長レベル判定用メジャーの実施例を示す平面図、図２は、その拡大断面図である。本実施例において、身長レベル判定用メジャーは、幅６ｃｍ×長さ６０ｃｍのテープ状であり、その表面はポリプロピレン製のテープ状の基体１で形成されている。基体１の表面は、長手方向に沿って所定長さ（実施例では１０ｃｍ）を有する連続した複数の領域１ａ〜１ｆに分けられ、各領域１ａ〜１ｆは印刷によって、それぞれ異なる色（実施例では領域１ａから順に、橙、黒、紫、黄、緑、赤）に着色されている。なお、各領域１ａ〜１ｆの着色は、領域全体をその色で塗りつぶすだけでなく、その色に色付けした花や動物などを印刷したり描いたりすることによって行うこともできる。
【００１１】
基体１の裏面には、図２に示すように、ポリプロピレン製の不織布２が接着され、その裏面側にはアクリル系の粘着剤からなる粘着層３を介して離型紙４が設けられている。この離型紙４を剥がし粘着層３を露出させることによって、身長レベル判定用メジャーを任意の場所に貼り付けて使用することができる。
【００１２】
次に、本発明の身長レベル判定用メジャーの使用方法を説明する。
【００１３】
図３は、本発明の身長レベル判定用メジャーの使用形態を示す図である。同図において、身長レベル判定用メジャーは、金融機関、コンビニエンストア等の出入口付近の壁に、長さ６０ｃｍの基体１の下端が床面から１５０ｃｍの高さとなるように貼り付けられている。したがって、基体１の上端は床面から２１０ｃｍの高さに位置することになる。このように図３の使用形態では、身長レベル判定用メジャーが身長１５０〜２１０ｃｍに対応する範囲に貼り付けられ、その範囲が領域１ａ〜１ｆによって１０ｃｍ間隔で６等分される形となっている。
【００１４】
図３に示すように強盗犯等の犯人が侵入してきた場合、そこに居る者は、犯人の身長が領域１ａ〜１ｆのどの領域に相当するものであるかを判定し、その領域の色を記憶する。これによって、犯人の身長レベルを実施例のものでは１０ｃｍ間隔で特定することができる。例えば、犯人の身長が領域１ｃに該当するものであれば、その身長レベルは１８０〜１９０ｃｍということになる。なお、防犯カメラを設置しておけば、目視だけでなく防犯カメラの記録映像によっても身長レベルを特定することができる。
【００１５】
また、本発明の身長レベル判定用メジャーの基体１の表面には、目盛りや数字・文字が一切表示されていないため、一般の人には身長レベル判定用メジャーであるとは分からず、室内の壁に貼り付けたときに美観を損ねることがない。むしろ、基体１の表面は、色分けされた各領域１ａ〜１ｆが連続した形態となっているので、室内インテリアとしての役割を果たすこともできる。
【００１６】
以上の実施例では、身長レベル判定用メジャーの長さを６０ｃｍとし、これを１０ｃｍ長さの６つの領域に分けるようにしたが、身長レベル判定用メジャー全体の長さ及び各領域の長さは実施例に限定されるものではなく、例えば、各領域の長さは１５ｃｍ程度としても良い。また、各領域の長さは必ずしも同一とする必要はない。
【００１７】
【発明の効果】
本発明の身長レベル判定用メジャーは、テープ状の基体の表面を、長手方向に沿って所定長さを有する複数の領域に分けるとともに各領域をそれぞれ異なる色に着色したので、表面側の各領域の色別により犯人の身長レベルを容易に判定することができる。しかも、犯人の身長レベルが該当する領域の色だけを記憶しておけば、後になっても犯人の身長レベルを容易に特定することができる。さらに、防犯カメラを設置しておけば、目視だけでなく防犯カメラの記録映像によっても身長レベルを特定することができる。
【００１８】
また、本発明の身長レベル判定用メジャーの基体の表面には、目盛や数字・文字が一切表示されていないため、一般の人には身長レベル判定用メジャーであるとは分からず、室内の壁に貼り付けたときに美観を損ねることがなく、室内インテリアとしての役割を果たすこともできる。
【図面の簡単な説明】
【図１】本発明の身長レベル判定用メジャーの実施例を示す平面図である。
【図２】本発明の身長レベル判定用メジャーの実施例を示す拡大断面図である。
【図３】本発明の身長レベル判定用メジャーの使用形態を示す図である。
【符号の説明】
１　テープ状の基体
１ａ〜１ｆ　テープ状の基体の領域
２　不織布
３　粘着層
４　剥離紙
【図１】
2004121641.tif 000003
【図２】
2004121641.tif 000004
【図３】
2004121641.tif 000005